【手続補正書】
【提出日】平成27年10月28日(2015.10.28)
【手続補正１】
【補正対象書類名】特許請求の範囲
【補正対象項目名】全文
【補正方法】変更
【補正の内容】
【特許請求の範囲】
【請求項１】
帯状のカフ本体、及び前記カフ本体に取り付けられ流体が入出することにより膨縮する流体袋を有し、被検体に巻き付けて使用される血圧情報測定用カフであって、
前記流体袋は、筒状の樹脂シートを扁平とし、開口する両端部を密閉した方形の袋状に形成され、
前記密閉された両端部の辺に交差し、前記被検体への巻き付け方向に沿う一対の対向辺のうち、少なくとも一方の前記対向辺の一部に、前記樹脂シートを折り重ねて溶着した部分溶着部が形成された血圧情報測定用カフ。
【請求項２】
請求項１記載の血圧情報測定用カフであって、
前記部分溶着部は、前記流体袋の前記巻き付け方向の中央領域に対する、前記対向辺の両脇側に形成される血圧情報測定用カフ。
【請求項３】
請求項２記載の血圧情報測定用カフであって、
前記流体袋は、前記一対の対向辺を長辺、前記巻き付け方向に直交する方向に沿う一対の対向辺を短辺とする長方形状に形成され、
前記部分溶着部は、前記長辺上における前記中央領域の一方の脇側となる第１端部領域、及び他方の脇側となる第２端部領域に、それぞれ形成される血圧情報測定用カフ。
【請求項４】
請求項３記載の血圧情報測定用カフであって、
前記部分溶着部は、前記第１端部領域及び前記第２端部領域の中で、それぞれ離散して形成される血圧情報測定用カフ。
【請求項５】
請求項４記載の血圧情報測定用カフであって、
前記部分溶着部は、前記中央領域と前記第１端部領域との境界位置、及び前記中央領域と前記第２端部領域との境界位置に形成される血圧情報測定用カフ。
【請求項６】
請求項３記載の血圧情報測定用カフであって、
前記部分溶着部は、前記第１端部領域及び前記第２端部領域の全体に延設される血圧情報測定用カフ。
【請求項７】
請求項１乃至請求項６のいずれか一項記載の血圧情報測定用カフであって、
前記流体袋は、長方形状の前記樹脂シートの一対の対辺における縁部が重なり合って溶着された第１の溶着部を有する筒状体に対し、該筒状体を扁平にして、開口する残りの二辺の縁部がそれぞれ溶着された第２の溶着部を有して袋状に形成された血圧情報測定用カフ。
【請求項８】
請求項７記載の血圧情報測定用カフであって、
前記部分溶着部は、溶着された前記流体袋の外縁の辺に直交する方向の溶着代幅が、前記第１の横着部及び前記第２の溶着部に対する前記溶着代幅より狭い血圧情報測定用カフ。
【請求項９】
請求項１乃至請求項８のいずれか一項記載の血圧情報測定用カフであって、
前記部分溶着部は、前記一対の対向辺の双方に形成される血圧情報測定用カフ。
【請求項１０】
請求項９記載の血圧情報測定用カフであって、
前記部分溶着部は、前記一対の対向辺に、それぞれ前記巻き付け方向に沿って互い違いに形成される血圧情報測定用カフ。
【請求項１１】
請求項１乃至請求項１０のいずれか一項記載の血圧情報測定用カフであって、
前記カフ本体は、帯状の一対の長辺のうち一方が他方よりも長くなる湾曲された形状を有し、
前記部分溶着部は、前記カフ本体に収容される前記流体袋の前記一対の対向辺のうち、前記カフ本体の長い方の長辺側に配置される前記対向辺にのみ形成される血圧情報測定用カフ。
【請求項１２】
請求項１乃至請求項１０のいずれか一項記載の血圧情報測定用カフであって、
前記カフ本体は、帯状の一対の長辺のうち一方が他方よりも長くなる湾曲された形状を有し、
前記部分溶着部は、前記カフ本体に収容される前記流体袋の前記一対の対向辺のうち、前記カフ本体の長い方の長辺側に配置される前記対向辺の溶着面積が、他方の側に配置される前記対向辺の溶着面積より大きい血圧情報測定用カフ。
【請求項１３】
請求項１乃至請求項１２のいずれか一項記載の血圧情報測定用カフと、
前記流体袋を膨縮させる膨縮機構と、
血圧情報を取得する血圧情報取得部と、
を備えた血圧情報測定装置。 
【手続補正２】
【補正対象書類名】明細書
【補正対象項目名】０００７
【補正方法】変更
【補正の内容】
【０００７】
本発明は下記構成からなる。
（１）  帯状のカフ本体、及び前記カフ本体に取り付けられ流体が入出することにより膨縮する流体袋を有し、被検体に巻き付けて使用される血圧情報測定用カフであって、
前記流体袋は、筒状の樹脂シートを扁平とし、開口する両端部を密閉した方形の袋状に形成され、
前記密閉された両端部の辺に交差し、前記被検体への巻き付け方向に沿う一対の対向辺のうち、少なくとも一方の前記対向辺の一部に、前記樹脂シートを折り重ねて溶着した部分溶着部が形成された血圧情報測定用カフ。
（２）  上記血圧情報測定用カフと、
前記流体袋を膨縮させる膨縮機構と、
血圧情報を取得する血圧情報取得部と、
を備えた血圧情報測定装置。 
【手続補正３】
【補正対象書類名】明細書
【補正対象項目名】００１５
【補正方法】変更
【補正の内容】
【００１５】
図２は図１に示す血圧情報測定装置の機能ブロック図である。
装置本体１１には、カフ１３内に内包された空気袋２３に空気を供給又は排出するための血圧測定用エア系コンポーネント２７が設けられている。血圧測定用エア系コンポーネント２７は、空気袋２３内の圧力を検出する圧力センサ２９と、空気袋２３を膨縮させる膨縮機構３１であるポンプ３３及び弁３５を有する。装置本体１１の内部には、血圧測定用エア系コンポーネント２７に関連して、発振回路３７、ポンプ駆動回路３９及び弁駆動回路４１が設けられている。 
【手続補正４】
【補正対象書類名】明細書
【補正対象項目名】００２５
【補正方法】変更
【補正の内容】
【００２５】
即ち、空気袋２３Ａは、筒状の樹脂シートを扁平とし、開口する両端部を密閉した方形の袋状に形成されている。この密閉された両端部の辺に交差して被検体への巻き付け方向に沿う一対の対向辺である長辺７１，７３のうち、少なくとも一方（本構成例では双方）の長辺の一部に、樹脂シートを折り重ねて溶着した部分溶着部７９Ａ，７９Ｂ，８１Ａ，８１Ｂが形成されている。 
【手続補正５】
【補正対象書類名】明細書
【補正対象項目名】００２６
【補正方法】変更
【補正の内容】
【００２６】
部分溶着部７９Ａ，７９Ｂ，８１Ａ，８１Ｂは、空気袋２３Ａの巻き付け方向の中央領域８３に対する、長辺７１，７３の両脇側に離散して形成される。 
【手続補正６】
【補正対象書類名】明細書
【補正対象項目名】００３４
【補正方法】変更
【補正の内容】
【００３４】
なお、空気袋２３Ａの外縁の辺（長辺７１，７３）に直交する方向の溶着代幅Ｗ３は、第１の溶着部６１の縁部からの溶着代幅Ｗ１、第２の溶着部６５，６７の縁部からの溶着代幅Ｗ２より狭くすることが好ましい。溶着代幅Ｗ３を狭くすることで、空気袋２３Ａの膨張への影響を最小限に抑えることができる。 
【手続補正７】
【補正対象書類名】明細書
【補正対象項目名】００４１
【補正方法】変更
【補正の内容】
【００４１】
＜第２の構成例＞
図１０は、第２の構成例における空気袋の平面図である。本構成例の空気袋２３Ｂは、中央領域８３を除く長辺７１，７３に、長辺７１，７３に沿って連続した部分溶着部９９Ａ，９９Ｂ，１０１Ａ，１０１Ｂを形成している。部分溶着部９９Ａの一端は、空気袋２３Ｂの長辺７１の第２の溶着部６５と接続され、他端は中央領域８３との境界まで連続して延設されている。同様に、部分溶着部９９Ｂは第２の溶着部６７と接続され、中央領域８３との境界まで連続して延設されている。 
【手続補正８】
【補正対象書類名】明細書
【補正対象項目名】００４２
【補正方法】変更
【補正の内容】
【００４２】
また、部分溶着部１０１Ａ，１０１Ｂも同様に、第２の溶着部６５，６７と接続され、中央領域８３との境界まで連続して延設されている。 
【手続補正９】
【補正対象書類名】明細書
【補正対象項目名】００４３
【補正方法】変更
【補正の内容】
【００４３】
これら部分溶着部９９Ａ，９９Ｂ，１０１Ａ，１０１Ｂの縁部（７１，７３）からの溶着代幅Ｗ５は、第１の溶着部６１の縁部からの溶着代幅Ｗ１，第２の溶着部６５，６７の縁部からの溶着代幅Ｗ２よりも狭く形成されている。 
【手続補正１０】
【補正対象書類名】明細書
【補正対象項目名】００５０
【補正方法】変更
【補正の内容】
【００５０】
以上の通り、本明細書には次の事項が開示されている。
（１）  帯状のカフ本体、及び前記カフ本体に取り付けられ流体が入出することにより膨縮する流体袋を有し、被検体に巻き付けて使用される血圧情報測定用カフであって、
前記流体袋は、筒状の樹脂シートを扁平とし、開口する両端部を密閉した方形の袋状に形成され、
前記密閉された両端部の辺に交差し、前記被検体への巻き付け方向に沿う一対の対向辺のうち、少なくとも一方の前記対向辺の一部に、前記樹脂シートを折り重ねて溶着した部分溶着部が形成された血圧情報測定用カフ。
（２）  （１）の血圧情報測定用カフであって、
前記部分溶着部は、前記流体袋の前記巻き付け方向の中央領域に対する、前記対向辺の両脇側に形成される血圧情報測定用カフ。
（３）  （２）の血圧情報測定用カフであって、
前記流体袋は、前記一対の対向辺を長辺、前記巻き付け方向に直交する方向に沿う一対の対向辺を短辺とする長方形状に形成され、
前記部分溶着部は、前記長辺上における前記中央領域の一方の脇側となる第１端部領域、及び他方の脇側となる第２端部領域に、それぞれ形成される血圧情報測定用カフ。
（４）  （３）の血圧情報測定用カフであって、
前記部分溶着部は、前記第１端部領域及び前記第２端部領域の中で、それぞれ離散して形成される血圧情報測定用カフ。
（５）  （４）の血圧情報測定用カフであって、
前記部分溶着部は、前記中央領域と前記第１端部領域との境界位置、及び前記中央領域と前記第２端部領域との境界位置に形成される血圧情報測定用カフ。
（６）  （３）の血圧情報測定用カフであって、
前記部分溶着部は、前記第１端部領域及び前記第２端部領域の全体に延設される血圧情報測定用カフ。
（７）  （１）乃至（６）のいずれか一つの血圧情報測定用カフであって、
前記流体袋は、長方形状の前記樹脂シートの一対の対辺における縁部が重なり合って溶着された第１の溶着部を有する筒状体に対し、該筒状体を扁平にして、開口する残りの二辺の縁部がそれぞれ溶着された第２の溶着部を有して袋状に形成された血圧情報測定用カフ。
（８）  （７）の血圧情報測定用カフであって、
前記部分溶着部は、溶着された前記流体袋の外縁の辺に直交する方向の溶着代幅が、前記第１の横着部及び前記第２の溶着部に対する前記溶着代幅より狭い血圧情報測定用カフ。
（９）  （１）乃至（８）のいずれか一つの血圧情報測定用カフであって、
前記部分溶着部は、前記一対の対向辺の双方に形成される血圧情報測定用カフ。
（１０）  （９）の血圧情報測定用カフであって、
前記部分溶着部は、前記一対の対向辺に、それぞれ前記巻き付け方向に沿って互い違いに形成される血圧情報測定用カフ。
（１１）  （１）乃至（１０）のいずれか一つの血圧情報測定用カフであって、
前記カフ本体は、帯状の一対の長辺のうち一方が他方よりも長くなる湾曲された形状を有し、
前記部分溶着部は、前記カフ本体に収容される前記流体袋の前記一対の対向辺のうち、前記カフ本体の長い方の長辺側に配置される対向辺にのみ形成される血圧情報測定用カフ。
（１２）  （１）乃至（１０）のいずれか一つの血圧情報測定用カフであって、
前記カフ本体は、帯状の一対の長辺のうち一方が他方よりも長くなる湾曲された形状を有し、
前記部分溶着部は、前記カフ本体に収容される前記流体袋の前記一対の対向辺のうち、前記カフ本体の長い方の長辺側に配置される対向辺の溶着面積が、他方の側に配置される対向辺の溶着面積より大きい血圧情報測定用カフ。
（１３）  （１）乃至（１２）のいずれか一つの血圧情報測定用カフと、
前記流体袋を膨縮させる膨縮機構と、
血圧情報を取得する血圧情報取得部と、
を備えた血圧情報測定装置。 
【手続補正１１】
【補正対象書類名】図面
【補正対象項目名】図２
【補正方法】変更
【補正の内容】
【図２】
2014064664.tif 000001
【手続補正１２】
【補正対象書類名】図面
【補正対象項目名】図６
【補正方法】変更
【補正の内容】
【図６】
2014064664.tif 000002
【手続補正１３】
【補正対象書類名】図面
【補正対象項目名】図１０
【補正方法】変更
【補正の内容】
【図１０】
2014064664.tif 000003